(57)【要約】【課題】メニューや電子番組表などのＯＳＤ表示機能をもつ受信機の開発・設計の短縮化や、生産過程での量産効果の向上などを図ること。【解決手段】ＯＳＤ表示画面で必要となる、特定国（言語）の言語フォントのイメージデータを、ロードするためのポートを具備し、ポート経由でロードされたフォントデータを記憶部に記憶しておく機能と、ＯＳＤ表示画面中のメニュー内の機能説明に用いられる、特定国（言語）の文章データ（テキストデータ）を、ロードするためのポートを具備し、ポート経由でロードされたテキストデータを記憶部に記憶しておく機能と、ＯＳＤ表示画面中のメニュー内の機能説明を、上記ロードされた文章データ（テキストデータ）に基づき上記ロードされたフォントデータで表現することにより、特定国向けＯＳＤ表示画面中のメニュー内の表記を可能にする手段とを、具備する。【選択図】      図１
2004201025.tif 000002
【特許請求の範囲】
【請求項１】
受信機や映像に関する各種機能設定や、電子番組表を表示するためのＯＳＤ（On Screen Display）表示機能を具備した、テレビジョン受信機において、
ＯＳＤ表示画面で必要となる、特定国（言語）の言語フォントのイメージデータを、ロードするためのポートを具備し、ポート経由でロードされたフォントデータを記憶部に記憶しておく機能を具備したことを特徴とするテレビジョン受信機。
【請求項２】
請求項１記載のテレビジョン受信機において、
ＯＳＤ表示画面中のメニュー内の機能説明に用いられる、特定国（言語）の文章データ（テキストデータ）を、ロードするためのポートを具備し、ポート経由でロードされたテキストデータを記憶部に記憶しておく機能を具備したことを特徴とするテレビジョン受信機。
【請求項３】
請求項１又は請求項２記載のテレビジョン受信機において、ＯＳＤ表示画面中のメニュー内の機能説明を、上記ロードされた文章データ（テキストデータ）に基づき上記ロードされたフォントデータで表現することにより、特定国向けＯＳＤ表示画面中のメニュー内の表記を可能にする手段と、
ＯＳＤ画面をテレビジョン映像信号に重畳する重畳手段とを具備したことを特徴とするテレビジョン受信機。
【発明の詳細な説明】
【０００１】
【発明の属する技術分野】
本発明は、メニューや電子番組表などのＯＳＤ（On Screen Display）表示機能を具備した、テレビジョン受信機に関する。
【０００２】
【従来の技術】
テレビジョン受信機上のメニューや電子番組表の操作表記について、同受信機の設定メニューなどで、複数の言語に切り替えが可能なテレビジョンが、既に提案、発売されている。
【０００３】
【発明が解決しようとする課題】
ところで、出荷地が欧米向であれば、フォントコード（ISO-8859-1）の約２００文字を搭載することにより、メニュー上の文章表記が可能になるが、例えば台湾（中国語）や日本（日本語）では、多数のフォント（文字の書体）を搭載する必要が有り、事実上出荷地に合わせ、受信機に搭載するフォント用ＲＯＭや製品に搭載するＯＳＤ用のソフトウェアは作り替えたり、差し替える必要があるのが現状である。
【０００４】
本発明は、そのような状況に鑑みてなされたもので、その目的とするところは、出荷地に合わせ、受信機に搭載するフォント用ＲＯＭや製品に搭載するＯＳＤ用のソフトウェアを作り替える必要をなくし、以って、メニューや電子番組表などのＯＳＤ表示機能をもつ受信機の開発・設計の短縮化や、生産過程での量産効果の向上などを図ることにある。
【０００５】
【課題を解決するための手段】
本発明は上記した目的を達成するため、受信機や映像に関する各種機能設定や、電子番組表を表示するためのＯＳＤ表示機能を具備した、テレビジョン受信機において、
ＯＳＤ表示画面で必要となる、特定国（言語）の言語フォントのイメージデータを、ロードするためのポートを具備し、ポート経由でロードされたフォントデータを記憶部に記憶しておく機能と、
ＯＳＤ表示画面中のメニュー内の機能説明に用いられる、特定国（言語）の文章データ（テキストデータ）を、ロードするためのポートを具備し、ポート経由でロードされたテキストデータを記憶部に記憶しておく機能と、
ＯＳＤ表示画面中のメニュー内の機能説明を、上記ロードされた文章データ（テキストデータ）に基づき上記ロードされたフォントデータで表現することにより、特定国向けＯＳＤ表示画面中のメニュー内の表記を可能にする手段とを、
具備する。
【０００６】
【発明の実施の形態】
以下、本発明の実施の形態を、図面を用いて説明する。
【０００７】
図１は、本発明の一実施形態に係るデジタルテレビジョン受信機の構成を示すブロック図である。
【０００８】
図１において、１はアンテナ、２はチューナー部、３は復調回路、４は誤り訂正部、５はトランスポートデコーダ、６はＭＰＥＧデコーダ、７はＯＳＤ表示部、８はビデオデコーダ、９は音声ＤＡＣ、１０はＣＰＵ、１１はＲＡＭ、１２はフラッシュメモリ、１３は入力Ｉ／Ｆ（インターフェース）、１４はポートである。また、フラッシュメモリ１２内において、１２ａは特定言語用フォントデータを格納するフォントデータＤＢ（データベース）、１２ｂは特定言語用テキストデータを格納するテキストデータＤＢ（データベース）、１２ｃはシステムソフトウェアを格納したシステムソフト格納部である。
【０００９】
図１に示す構成において、アンテナ１で受信されたデジタル放送信号はチューナー部２に入力される。チューナー部２では、視聴者の指示に従って所定のチャンネルが選局され、そのデジタル信号は続く誤り訂正部４にて、デジタル信号が修復、訂正され、続くトランスポートデコーダ５にて、誤り訂正部４より出力されたトランスポートストリームデータを、音声信号，映像信号，データ信号に分ける。さらに、ＭＰＥＧデコーダ６にて、映像・音声信号のデータ復調が行われ、映像信号は、ビデオエンコーダ８にて、接続した受信機に適したビデオ信号に復調が行われる。また、音声信号は、音声ＤＡＣ９にて、接続した受信機もしくはオーディオ装置に適したオーディオ信号に復調が行われる。
【００１０】
ＣＰＵ１０は、テレビジョン受信機全体の制御を司り、ユーザー操作による入力Ｉ／Ｆ１４から送られれるコントロール信号によって、選局動作を制御したり、ＯＳＤ表示動作を制御したり、データのロード動作を制御したり、等々する。
【００１１】
本実施形態のテレビジョン受信機においては、出荷地が決まってから、製造工程の最終段階、もしくは流通段階で、特定された出荷地用（特定言語用）のフォントデータ（フォントのイメージデータ）とその言語向けのテキストデータ（文章データ）を、フラッシュメモリ１２にロードする。特定言語のフォントデータとテキストデータのロードを行う際には、ポート１４に直接装着されたＰＣカード、あるいは、ポート１４のシリアルインターフェース（ＲＳ−２３２Ｃ等）に接続されたパソコン等、あるいは、ポート１４にイーサネットなどを介して接続されたパソコン等から、ダウンロードされてくる特定言語用のフォントデータと特定言語用のテキストデータを、ＣＰＵ１０の制御のもとに、フラッシュメモリ１２内のフォントデータＤＢ１２ａ、テキストデータＤＢ１２ｂにそれぞれ書き込む。
【００１２】
上記のように、特定言語用のフォントデータと特定言語用のテキストデータがロードされたテレビジョン受信機を購入したユーザが、例えば、ＯＳＤメニュー表示の指示操作を行うと、ＣＰＵ１０の制御のもとに、フラッシュメモリ１２内のシステムソフトウェアの一部である表示プログラムは、フラッシュメモリ１２内のフォントデータＤＢ１２ａおよびテキストデータＤＢ１２ｂを参照して、ＯＳＤ表示部７において、特定国向のメニューイメージ（メニュー画面）の生成を実行させる。この生成されたメニューイメージは、ビデオデコーダ８にて、映像信号と重畳されて、ＣＲＴなどのモニタ手段において表示される。
【００１３】
図２は、本実施形態のテレビジョン受信機における、メニュー画面を例にとった日本語化までのプロセスを示す図である。
【００１４】
図２の上側のメニュー画面は、特定言語用のフォントデータと特定言語用のテキストデータがロードされる前の状態で生成される画像のイメージを仮に表している。この特定言語用のフォントデータと特定言語用のテキストデータがロードされる前の状態では、システムソフトウェアの表示プログラムは、メニュー画面としての線描表示と、テキストを表示する場所に割り当てられた表記コードとを、ＯＳＤ表示部７において生成させることができるようになっている。この生成用のデータは、出荷地の如何にかかわらず共通なものとして、製造過程であらかじめ適宜のメモリエリアに書き込まれている。
【００１５】
図２の下側のメニュー画面は、特定言語用（ここでは日本語用）のフォントデータとテキストデータがロードされた後の状態で生成され、映像信号に重畳されてＯＳＤ表示される画面を表している。日本語用のフォントデータと日本語用のテキストデータがロードされている状態では、システムソフトウェアの表示プログラムは、テキストデータＤＢ１２ｂを参照して、上記した表記コードと文字列データ（テキストデータ）との対応付けを解釈し、また、フォントデータＤＢ１２ａを参照して、文字列データ（テキストデータ）を表記するフォントデータを抽出して、これによって、ＯＳＤ表示部７において、日本語の文字による表記がなされたメニュー画面が生成される。
【００１６】
【発明の効果】
以上のように本発明によれば、テレビジョン受信機の開発・設計段階、特にソフトウェアの開発段階においては、出荷地を特定しておく必要が無くなり、出荷地が決まってから、製造工程の最終段階、もしくは流通段階で、テレビジョン受信機のポートから特定出荷地用のフォントデータとその言語向けの文章データ（テキストデータ）をロードすることにより、特定出荷地向けのテレビジョン受信機として完成するので、製品開発スケジュールの短縮化、ソフトウェア面での共通化、特にハード面では、出荷地に左右されることがなくなる（放送規格の違いは除く）ため、量産効果によりによるコスト低下が期待される。
【図面の簡単な説明】
【図１】本発明の一実施形態に係るデジタルテレビジョン受信機の構成を示すブロック図である。
【図２】本発明の一実施形態に係るデジタルテレビジョン受信機における、メニュー画面を例にとった日本語化までのプロセスを示す説明図である。
【符号の説明】
１   アンテナ
２   チューナー部
３   復調回路
４   誤り訂正部
５   トランスポートデコーダ
６   ＭＰＥＧデコーダ
７   ＯＳＤ表示部
８   ビデオデコーダ
９   音声ＤＡＣ
１０   ＣＰＵ
１１   ＲＡＭ
１２   フラッシュメモリ
１２ａ  フォントデータＤＢ
１２ｂ  テキストデータＤＢ
１２ｃ  システムソフト格納部
１３   入力Ｉ／Ｆ
１４   ポート
【図１】
2004201025.tif 000003
【図２】
2004201025.tif 000004